(57)【要約】      （修正有）【課題】セクタが属するアンテナに関わらず、複数のアンテナにより受信される信号を結合することを提案する。【解決手段】連続近似により、情報の最適な受信を可能にする各アンテナのセクタを走査する。前記走査は繰り返される。一回に単一のアンテナのみを、あるセクタから他のセクタへ連続的段階を経て切り替えることにより、円滑なセクタ切り替えを行う。そして、受信信号レベルを常に最大に保つ事を可能にする。【選択図】図２
2006319984.tif 000002
【特許請求の範囲】
【請求項１】
M個のセクタを備えるN個のアンテナを結合するシステムを有するデータ伝送システムにおけるアンテナ選択方法であって、
各アンテナは、所定のセクタに従い動作し、前記方法は、
初期設定段階、及び
連続近似により、最適に情報受信する各アンテナのセクタを走査する反復走査段階を有することを特徴とする、方法。
【請求項２】
初期設定段階は、関連するN個のアンテナを識別し、選択パラメータを判定し及び関連する各アンテナのセクタを任意に選択することを特徴とする、請求項１記載のアンテナ選択方法。
【請求項３】
N個のアンテナの識別は、各アンテナを番号付けすることにより行われることを特徴とする、請求項２記載のアンテナ選択方法。
【請求項４】
選択パラメータは、受信信号の電力であることを特徴とする、請求項２又は３記載のアンテナ選択方法。
【請求項５】
選択パラメータは、受信信号の「信号対雑音及び干渉」比であることを特徴とする、請求項２又は３記載のアンテナ選択方法。
【請求項６】
最適に情報受信する各アンテナのセクタを走査する段階は、
所与のセクタにより動作するＮ個のアンテナのそれぞれにより受信される選択パラメータを測定する段階、
前記Ｎ個のパラメータを比較し最も低いパラメータを有するアンテナを識別する段階、及び
最大のパラメータが受信されるまで前記アンテナのセクタを変更する段階
を有することを特徴とする、請求項１乃至５の何れか１つ記載のアンテナ選択方法。
【請求項７】
各アンテナのセクタを走査する段階は、新しいデータフレームが送信される度に行われることを特徴とする、請求項６記載のアンテナ選択方法。
【請求項８】
選択パラメータの最小閾値は固定され、前記閾値を超えない選択パラメータを有するアンテナを除外できるようにすることを特徴とする、請求項７記載のアンテナ選択方法。
【請求項９】
アンテナが安定状態である間、前記アンテナの全セクタの受信されたパラメータが、他のアンテナにより受信されたパラメータより低い場合、各アンテナのセクタを走査する段階の繰り返しは削減されることを特徴とする、前記請求項の何れか１つ記載のアンテナ選択方法。
【請求項１０】
前記方法は、異なる極性（Ｍ個の極性）を有するＮ個のアンテナを結合する如何なるシステムにも適することを特徴とする、請求項１乃至９記載のアンテナ選択方法。
【発明の詳細な説明】
【技術分野】
【０００１】
本発明は、複数のアンテナを有する無線通信システムにおけるデータ伝送に関する。本発明は、前記システムのアンテナの選択方法に関する。
【背景技術】
【０００２】
既知の無線通信システムには、建物の中、屋内領域で動作する、又は半ば閉鎖された領域で動作する、複数のアンテナを備えるデータ伝送システムがある。これらの通信システムは、一般に、基地局及び複数の移動端末から構成される。Ｈｉｐｅｒｌａｎ２及びＩＥＥＥ８０２．１１ａのような規格は、５ＧＨｚ周辺の周波数帯で動作する通信システムを定義している。
【０００３】
このようなシステムはまた、高解像度無線カメラにも適用される。
【０００４】
基地局と移動端末の間のデータ伝送の品質は、主に又は特にデータの送受信に利用されるアンテナシステムに依存する。受信中に送信される電力を最大化し、伝送路を効率化し、及び電力、固定電源を持たないユーザーのための特異点を減少させなければならない。これは、アンテナによる受信の最適化が、送信機の開発において重要であるためである。
【０００５】
これら伝送システムの雑音とエコーに対する耐性を強化するため、アンテナのダイバーシティ、所謂、ＭＲＣ（最大比合成）を用いた複数アンテナ処理の実行が知られる。アンテナダイバーシティは、アンテナが同じ反射条件に制約されないよう、複数のアンテナ、つまり複数の電波の伝送路を用い、複数のアンテナから受信した信号を結合する。そして、単一アンテナの方式に多い、フェージングによる電波の減衰を除去し、安定性を向上させる。
【０００６】
無線システムの範囲を広げるアンテナ技術において、最も広く利用されている方法の１つに、セクタアンテナがある。セクタアンテナでは、異なる角度の広がりを有する複数のビームを利用する。無線システムは、送受信機器の位置に従い、セクタの選択を調整する。
【０００７】
これら２つの技術、ダイバーシティアンテナとセクタアンテナは対立するものではない。具体的には、特許文献1において、少なくとも１つの選択されたアンテナセクタによりデータ伝送を行うよう、セクタ構成された複数のアンテナを有する無線伝送システムとして知られる。選択が行われる度に、新たなアンテナセクタが選択され、瞬時に切り替えが行われる。これは、無線接続が、あるアンテナのあるセクタから、別のアンテナの別のセクタへ、突然に移行することを意味する。この突然の移行は、エラー及び接続の瞬断を発生する危険がある。
【特許文献１】米国特許第２００４／０１９６８３４号
【発明の開示】
【発明が解決しようとする課題】
【０００８】
以上の問題を改善するため、本発明は、セクタが属するアンテナに関わらず、アンテナの集合により受信される信号を結合することを提案する。
【課題を解決するための手段】
【０００９】
本発明は、一回に単一のアンテナのみを、あるセクタから他のセクタへ連続的段階を経て切り替えることにより、円滑なセクタ切り替えを行う。そして、受信信号レベルを常に最大に保つ事を可能にする。
【００１０】
本発明は、有意な安定性の利点を供する。アンテナの数が多いほど、アンテナを切り替える間のリスクは低くなる。
【００１１】
本発明は、セクタ（Ｍセクタ）を備える複数のアンテナ（Ｎ）を結合するシステムを有するデータ伝送システムのアンテナ選択方法に関する。各アンテナは、所定のセクタに従い動作する。本発明の方法は、初期設定段階及び反復走査段階を有する。反復走査段階では、連続近似により、最適に情報受信する各アンテナのセクタを走査する。
【００１２】
初期設定段階では、関係するアンテナを識別し、選択パラメータを判定し、そして関係するアンテナのそれぞれに対しセクタを適宜選択する。
【００１３】
望ましくは、アンテナの識別は、各アンテナを番号付けすることにより行われ、選択パラメータは、受信電力又は受信信号の「信号対雑音及干渉」比である。
【００１４】
望ましくは、最適に情報受信する各アンテナのセクタを走査する段階は、Ｎ個のアンテナのそれぞれが所与のセクタで受信した選択パラメータを測定する段階、これらＮ個のパラメータを比較し最も低いパラメータを有するアンテナを識別する段階、及び最大のパラメータが受信されるまでこのアンテナのセクタを変更する段階を有する。各アンテナのセクタを走査する段階は、新しいデータフレームが送信される度に行われる。
【００１５】
望ましくは、選択パラメータの最小閾値は固定され、この閾値を超えない選択パラメータを有するアンテナを除外できるようにする。
【００１６】
本発明の別の特長によると、アンテナが安定状態である間、このアンテナの全セクタの受信されたパラメータが、他のアンテナにより受信されたパラメータより低い場合、各アンテナのセクタを走査する段階の繰り返しは削減される。
【００１７】
この方法はまた、異なる極性（Ｍ個の極性）を有するＮ個のアンテナを結合する如何なるシステムにも適する。
【実施例】
【００１８】
本発明は、図を参照する以下の説明により、より理解され、他の特長及び利点が明らかになるだろう。
【００１９】
図1は、本発明に用いられる複数のアンテナを備えるシステムを有する送信機／受信機の例を示す。送信機／受信機は、基地局１、及びこの例では単一の移動端末２を有する。
【００２０】
基地局１は、セクタ構成の複数のアンテナ、第1のアンテナＡ、第2のアンテナＢ、及び第3のアンテナＣを有する。これら３つのアンテナは、この例では、それぞれ４つのセクタを有する。これらは移動端末に向けて信号を送出し、及び移動端末から信号を受信する。これらのアンテナＡ、Ｂ、及びＣは、ＲＦ（無線周波数）回路により、ＭＲＣ（最大比結合）複数アンテナ処理モデムに結合される。ＭＲＣ技術は、基地局の受信機のレベルで、各アンテナにより受信された平均化された信号の整合及び加重和を計算する。受信信号を結合するこの技術は、可能な最大の受信を得る。
【００２１】
移動端末２は、この例では、データ伝送のための単一のアンテナを有する。このアンテナは、従来知られているように、ＲＦ回路によりモデムと結合される。
【００２２】
アンテナシステムを動作させる方法は、つまり最適な受信を可能にする、アンテナの選択及び各アンテナのセクタの選択は、図2を用いて明らかにされる。
【００２３】
３つのアンテナＡ、Ｂ、及びＣは、それらが有するセクタの集合により示される。図2の例では、４つのセクタを有するアンテナが示されるが、本発明の方法は、Ｍ個のセクタを有するアンテナに関する。選択されたセクタは、黒塗りで示される。これらは、前の図に示されたように、複数のアンテナを有するシステムの一部を形成する。
【００２４】
各アンテナと共に示される長方形は、品質判定基準のレベル又は選択パラメータを示す。選択パラメータは、例えば、図2の例に示されるように、アンテナにより受信された電力Ｐのレベルであって良い。選択パラメータはまた、「信号対雑音及び干渉」比であって良い。雑音及び干渉は、信号の外乱である。よって、干渉信号による外乱は、信号品質を決定する比で、雑音による外乱に関連付けられる。最適な判定基準は、電力の測定及び信号対雑音比に基づき計算されたパラメータで良い。パラメータの関数は、アンテナの受信品質の測定を可能にし、存在しなくても接続品質に与える影響が最小のアンテナを選択できるようにする。これらの受信チャネルの信号の信頼性の関数を解決する他のパラメータ、又は他のＮ−１個のアンテナから生じるＮ−１個の信号の組み合わせに基づき得られる信号に関する他のパラメータが利用され、アンテナＮを適正と認める。
【００２５】
このパラメータの値は、特定のセクタを選択している各アンテナに対し入力される。この例では、パラメータは、受信電力Ｐを含む。次に、全てのアンテナＡ、Ｂ、及びＣから生じるこれらのパラメータは、比較される。
【００２６】
本発明の方法を理解するため、８個の段階（１乃至８と番号付けられる）を示す。本方法の原理は、ＭＲＣシステムにより全てのアンテナで受信された信号の組み合わせを最大にするよう、各アンテナの最大信号受信レベルを走査することである。
【００２７】
第１の段階は、初期設定段階と称される。初期設定段階では、全てのアンテナで任意に同一のセクタが選択される（セクタ１）。アンテナＡ、Ｂ、及びＣそれぞれの受信電力レベルＰａ、Ｐｂ、及びＰｃが測定され、次にこれらのレベルは比較される。この例では、アンテナＡにより受信された電力レベルは、アンテナＢ及びＣによりそれぞれ受信された電力レベルより低い。つまり、Ｐａ≦Ｐｂ及びＰｃである。アンテナＡは、電力レベルＰが最も低いアンテナである。従って、アンテナＡの他のセクタを評価しなければならない。次にアンテナＡは、セクタ１からセクタ２へ切り替えられる。留意すべきは、アンテナＡは、受信システムのアンテナの中で、セクタの切り替えによる影響の最も少ないアンテナであることである。受信信号への影響は最小であり、外乱も最小である。
【００２８】
第２の段階では、アンテナＡは第２のセクタに切り替えられたが、アンテナＡにより受信される電力レベルＰａは、依然としてアンテナＢ及びＣによりそれぞれ受信されるＰｂ及びＰｃより低い。従って、再びアンテナＡはセクタ２からセクタ３へ切り替えられる。
【００２９】
アンテナＡのセクタ３で測定された電力は、アンテナＢ及びＣの電力より高い。第３の段階では、アンテナＢの電力は他より低いので、アンテナＢは、第１のセクタから第２のセクタへ切り替えられる。
【００３０】
段階４及び５では、アンテナＣ及びＢは、同様の方法でセクタを切り替えられる。
【００３１】
段階６、７及び８では、アンテナＢの受信電力は、依然としてアンテナＡ及びＣの電力より低い。これは安定状態と称される。
【００３２】
留意すべきは、初期設定段階である段階１から最大受信電力を得る段階５への切り替えは、アンテナＡ、次にＢそして最後にＣの４つの連続するセクタ切り替えにより実行される。その結果、アンテナセクタの変化は、連続する切り替えにより平滑に行われる。セクタの変化は、無線接続の品質を害すことなく行われる。
【００３３】
通信が連続するデータフレームにより行われる場合、電力の測定及びアンテナセクタの変化は、フレームの変化により引き起こされ、又はフレームの開始時に予約された間隔の間に行われる。例えば、フレームが１０ｍｓ毎に送出される場合、段階１から安定状態である段階８への切り替えは、８０ｍｓで行われる。
【００３４】
本方法は、図２の段階の間の特定の場合（図示されない）の解決法を有する。初期設定段階では、アンテナは識別され順序付けられている。あるアンテナの他に対する優先度は、次のように決定される。つまり、２つのアンテナが第３のアンテナより低い同じ電力を受信した場合、セクタを変更するアンテナが決定される。
【００３５】
受信電力の最小閾値を有する。具体的には、アンテナの受信電力が、ある番号の段階でこの閾値を超えなかった場合、応答なしと見なされる。従って、所望の通信は無効になる。欠陥のない状態では、このアンテナは開放され、他のアンテナと共に、複数のアンテナを有する別のシステムを形成するため、再利用可能にする。このようなアンテナの選択は、データ受信システムの復調経路の下流で行われる。
【００３６】
システム自体は恒久的に調整を行う。言い換えると、最も低い電力を受信しているアンテナでは、より好ましいセクタが常に走査される。安定状態が得られた時点から、測定の発生は減少する。
【００３７】
別の方法では、システムは、各アンテナに対し、選択されたセクタに隣接する、より好ましいセクタを恒久的に走査するよう、連続的に自己調整する。
【００３８】
図３は、本発明に用いられる、利用可能な複数の受信経路を有する複数のＭＩＭＯアンテナを備えるシステムを示す。異なる空間データストリームは、種々の受信経路へ送信される。これらのストリームは１つの同じ信号の成分を表すことができる。
【００３９】
上述の例のように、本システムは、ＲＦ回路によりモデムと結合される複数のアンテナＡ１、Ａ２、．．．、Ａｎを備えるシステムを有する基地局３、及びＲＦ回路により別のモデムと結合される複数のアンテナＢ１、Ｂ２、．．．、Ｂｍを備える別のシステムを有する移動端末４を有する。送信される信号は、基地局のＮ個のアンテナ又は移動端末のＭ個のアンテナの中から選択されたｘ個のアンテナから生成される。このため、各受信経路は、受信信号のｘ個の成分のそれぞれを抽出するために利用可能なｘ個の等価器を有する。受信品質は、信号の全成分の良好な受信に依存する。ストリームの伝送に対する受信アンテナの貢献度を表す品質指標は、各ストリームに対して計算される。この指標は、セクタを変更するよう選択されたアンテナが存在しなくても、各空間ストリームに有意な影響を与えないことを確認するために利用される。
【００４０】
上述のように、経路として最初に選択されたアンテナは、選択基準が満たされなかったため、この経路では無効になり、別の受信経路の伝送に再利用されることが考えられる。この基準は、既に説明した。
【００４１】
モデムは、複数のアンテナを空間的及び時間的に制御可能にする空間的、時間的な符号化、復号化部を有する。
【００４２】
セクタ構成を備えるアンテナダイバーシティを有するＭＩＭＯシステムは、例えばＯＦＤＭ変調のような種々の変調方式と組み合わせ可能である。
【００４３】
本発明は、説明された例に限定されるものではない。具体的には、移動端末と同様に基地局の送信及び受信アンテナの数は、以上の例に説明された数より多くても良い。また本発明は、セクタアンテナを利用したが、無線システムによれば、他のアンテナ、特に種々の極性が可能なアンテナも可能である。
【図面の簡単な説明】
【００４４】
【図１】本発明に用いられる複数のアンテナを備えるシステムを有する送受信機の例を示す。
【図２】アンテナ及び図１のシステムの各アンテナのセクタを選択する本発明の方法の例を示す。
【図３】本発明に用いられる複数のアンテナを備えるＭＩＭＯ送信器／受信機を示す。
【符号の説明】
【００４５】
１  基地局
２  移動端末
３  基地局
４  移動端末
Ａ−Ｂ  アンテナ
Ａ１−Ａｎ  アンテナ
Ｂ１−Ｂｍ  アンテナ
Ｐａ−Ｐｃ  アンテナの受信電力
【図１】
2006319984.tif 000003
【図２】
2006319984.tif 000004
【図３】
2006319984.tif 000005